(57)【要約】【課題】耐食性、耐候性及び施工性を向上させることができる太陽電池パネル設置用架台及びその製造方法を提供する。【解決手段】太陽電池パネル１を支持するための太陽電池パネル設置用架台１００は、支持台１０と、溶融亜鉛−アルミニウム−マグネシウム合金めっき鋼板により形成され、支持台１０に固定されるとともに太陽電池パネル１が載置される複数の桟部材２と、支持台１０に設けられる少なくとも１つの第一ボルト孔３１及び桟部材２に設けられる少なくとも１つの第二ボルト孔３２に挿入される第一片側施工ボルト２７とを備える。桟部材２が溶融亜鉛−アルミニウム−マグネシウム合金めっき鋼板により形成されることにより耐食性及び耐候性が向上する。また、第一ボルト孔３１及び第二ボルト孔３２に第一片側施工ボルト２７が挿入されることにより施工性が向上する。【選択図】図３
2018186636.tif 000002
【特許請求の範囲】
【請求項１】
太陽電池パネルを支持するための太陽電池パネル設置用架台であって、
支持台と、
溶融亜鉛−アルミニウム−マグネシウム合金めっき鋼板により形成され、前記支持台に固定されるとともに前記太陽電池パネルが載置される桟部材と、
前記支持台に設けられる少なくとも１つの支持台側ボルト孔及び前記桟部材に設けられる少なくとも１つの桟部材側ボルト孔に挿入される片側施工ボルトとを備える太陽電池パネル設置用架台。
【請求項２】
前記支持台は、
前記桟部材を支持する支持部材と、
溶融亜鉛−アルミニウム−マグネシウム合金めっき鋼板により形成され、前記桟部材と前記支持部材との間に設けられる取付金物とを有し、
前記支持台側ボルト孔は前記取付金物に形成される請求項１に記載の太陽電池パネル設置用架台。
【請求項３】
前記支持部材は、溶融亜鉛−アルミニウム−マグネシウム合金めっき鋼板により形成される請求項２に記載の太陽電池パネル設置用架台。
【請求項４】
前記片側施工ボルトの表面には、亜鉛めっき層と、前記亜鉛めっき層の上に設けられる焼き付け塗膜層とが形成される請求項１〜３のいずれか一項に記載の太陽電池パネル設置用架台。
【請求項５】
請求項１〜４のいずれか一項に記載の太陽電池パネル設置用架台の製造方法であって、
前記片側施工ボルトは、雄ねじ部を有するタッピング型のボルトであり、
前記片側施工ボルトは前記支持台側ボルト孔及び前記桟部材側ボルト孔に挿入され、
前記片側施工ボルトの回転に伴って、前記支持台側ボルト孔又は前記桟部材側ボルト孔の少なくともいずれか一方の内周面に、前記雄ねじ部に係合する雌ねじ部が塑性変形によって形成されることにより、前記支持台に前記桟部材が締結されて固定される、太陽電池パネル設置用架台の製造方法。
【請求項６】
請求項１〜４のいずれか一項に記載の太陽電池パネル設置用架台の製造方法であって、
前記片側施工ボルトは、雄ねじ部を有する軸部と、前記雄ねじ部に係合可能な雌ねじ部を有するスリーブ部とを備え、
前記片側施工ボルトは前記支持台側ボルト孔及び前記桟部材側ボルト孔に挿入され、
前記片側施工ボルトの回転に伴って前記スリーブ部が塑性変形されることにより、前記支持台に前記桟部材が締結されて固定される、太陽電池パネル設置用架台の製造方法。
【発明の詳細な説明】
【技術分野】
【０００１】
この発明は、太陽電池パネル設置用架台及びその製造方法に関する。
【背景技術】
【０００２】
特許文献１の段落［００１５］に示すように、屋外に設置される太陽電池パネル設置用架台に使用される部材は、耐候性及び耐食性を向上させるために、溶融亜鉛−アルミニウム−マグネシウム合金めっき鋼板によって形成されることがある。また、特許文献２の太陽電池パネル設置用架台の各部材はボルト及びナットを介して組み立てられている。
【先行技術文献】
【特許文献】
【０００３】
【特許文献１】特開２０１４−１２９７０９号公報
【特許文献２】特開２０１４−１０５４６７号公報
【発明の概要】
【発明が解決しようとする課題】
【０００４】
しかしながら、特許文献１及び２に記載される太陽電池パネル設置用架台では、支柱や受材等の多数の部材同士をボルトで締結させる際に、多くのナット、ばね座金、平ワッシャー等を用いる必要があり、締結に係る構造が複雑となってしまっていた。また、部材同士の締結時には、締結された部材の両側から工具を用いてボルトを締め付ける必要があり、施工に手間がかかっていた。
【０００５】
この発明は、このような問題を解決するためになされ、耐食性、耐候性及び施工性を向上させることができる太陽電池パネル設置用架台及びその製造方法を提供することを目的とする。
【課題を解決するための手段】
【０００６】
上記の課題を解決するために、この発明に係る太陽電池パネル設置用架台は、支持台と、溶融亜鉛−アルミニウム−マグネシウム合金めっき鋼板により形成され、支持台に固定されるとともに太陽電池パネルが載置される桟部材と、支持台に設けられる少なくとも１つの支持台側ボルト孔及び桟部材に設けられる少なくとも１つの桟部材側ボルト孔に挿入される片側施工ボルトとを備える。
【０００７】
また、この発明に係る太陽電池パネル設置用架台の支持台は、桟部材を支持する支持部材と、溶融亜鉛−アルミニウム−マグネシウム合金めっき鋼板により形成され、桟部材と支持部材との間に設けられる取付金物とを有し、支持台側ボルト孔は取付金物に形成されてもよい。
【０００８】
また、支持部材は、溶融亜鉛−アルミニウム−マグネシウム合金めっき鋼板により形成されてもよい。
【０００９】
また、片側施工ボルトの表面には、亜鉛めっき層と、亜鉛めっき層の上に設けられる焼き付け塗膜層とが形成されてもよい。
【００１０】
また、この発明に係る太陽電池パネル設置用架台の製造方法によると、雄ねじ部を有するタッピング型のボルトである片側施工ボルトが支持台側ボルト孔及び桟部材側ボルト孔に挿入され、片側施工ボルトの回転に伴って、支持台側ボルト孔又は桟部材側ボルト孔の少なくともいずれか一方の内周面に、雄ねじ部に係合する雌ねじ部が塑性変形によって形成されることにより、支持台に桟部材が締結されて固定されてもよい。
【００１１】
また、この発明に係る太陽電池パネル設置用架台の別の製造方法によると、片側施工ボルトは、雄ねじ部を有する軸部と、雄ねじ部に係合可能な雌ねじ部を有するスリーブ部とを備え、片側施工ボルトは支持台側ボルト孔及び桟部材側ボルト孔に挿入され、片側施工ボルトの回転に伴ってスリーブ部が塑性変形されることにより、支持台に桟部材が締結されて固定されてもよい。
【発明の効果】
【００１２】
この発明に係る太陽電池パネル設置用架台及びその製造方法によれば、耐食性、耐候性及び施工性を向上させることができる。
【図面の簡単な説明】
【００１３】
【図１】この発明の実施の形態１に係る太陽電池パネル設置用架台の斜視図である。
【図２】図１に示す太陽電池パネル設置用架台の支持部材、取付金物及び桟部材の構成を示す断面側面図である。
【図３】図１に示す太陽電池パネル設置用架台の支持部材、取付金物及び桟部材の構成を示す斜視図である。
【図４】図１に示す太陽電池パネル設置用架台に用いられる片側施工ボルトの一例を示す断面側面図である。
【図５】図１に示す太陽電池パネル設置用架台に用いられる片側施工ボルトの別の例を示す断面側面図である。
【図６】図６（ｉ）〜（ｉｉｉ）は、図５に示す片側施工ボルトによる締結の手順を示す図である。
【図７】図７（ｉ）は、この発明の実施の形態２に係る太陽電池パネル設置用架台の支持部材及び桟部材の構成を示す断面側面図であり、図７（ｉｉ）は、図７（ｉ）に示す太陽電池パネル設置用架台の取付金物の形状及び配置を示す斜視図である。
【図８】図７に示す太陽電池パネル設置用架台に載置された太陽電池パネルを、太陽電池パネルの面に対して垂直な方向Ａから見た様子を示す図である。
【図９】この発明の別の実施の形態に係る太陽電池パネル設置用架台の支持部材及び桟部材の構成を示す断面側面図である。
【発明を実施するための形態】
【００１４】
以下、この発明の実施の形態について添付図面に基づいて説明する。
実施の形態１．
まず、図１に示すように、太陽電池パネル設置用架台１００は、各々が直線的に並べられて設けられる複数の第一支柱１１と、第一支柱１１の列とほぼ平行に各々が直線的に並べられて設けられる複数の第二支柱１４とを有する。第一支柱１１及び第二支柱１４は、地面に固定されている。なお、第一支柱１１の高さは第二支柱１４の高さよりも高い。また、隣り合う第一支柱１１同士の間には、各々２本の斜め材１２が互いに斜交いに交差して設けられる。さらに、複数の第一支柱１１の上端には、略水平方向に延びる第一支持部材１３が接続される。また、同様に、複数の第二支柱１４の上端には、略水平方向に延びる第二支持部材１５が接続される。さらに、第一支持部材１３と第二支持部材１５との間には、複数の桟部材２が各々、所定の間隔を空けて架け渡される。そして、第一支持部材１３が第二支持部材１５よりも高い位置に設けられるため、桟部材２は、第一支持部材１３から第二支持部材１５に向かって下方向に傾斜するように設けられている。そして、第一支持部材１３及び第二支持部材１５に支持される桟部材２の上には、太陽電池パネル１が載置される。
なお、第一支柱１１及び第二支柱１４は角形鋼管であり、桟部材２、第一支持部材１３及び第二支持部材１５はＣ形鋼である。
また、第一支柱１１、第二支柱１４、斜め材１２、第一支持部材１３及び第二支持部材１５は、支持台１０を構成する。
さらにまた、桟部材２、第一支柱１１、第二支柱１４、斜め材１２、第一支持部材１３及び第二支持部材１５は、溶融亜鉛−アルミニウム−マグネシウム合金めっき鋼板により形成される。
また、以下の説明において、支持台１０の第一支持部材１３が設けられる側を奥側Ｂとし、第二支持部材１５が設けられる側を手前側Ｆとする。
【００１５】
さらに、図２に示すように、第一支持部材１３と桟部材２との間には第一取付金物３が設けられる。また、第二支持部材１５と桟部材２との間には第二取付金物４が設けられる。すなわち、桟部材２は第一取付金物３及び第二取付金物４を介して第一支持部材１３及び第二支持部材１５に固定して取り付けられている。また、桟部材２の上面の中央部分には、外側に広がる一対のフランジ部５ａを有する第一パネル取付部材５が取り付けられる。また、桟部材２の上面の手前側Ｆの下端には、略Ｕ字形状の断面を有する第二パネル取付部材６が取り付けられる。そして、第一パネル取付部材５と第二パネル取付部材６との間には太陽電池パネル１が保持される。さらに、桟部材２の上面の奥側Ｂの上端には、略Ｕ字形状の断面を有する第三パネル取付部材７が取り付けられる。そして、第二パネル取付部材６と第三パネル取付部材７との間には、さらに別の太陽電池パネル１が保持される。
なお、第一取付金物３、第二取付金物４、第一パネル取付部材５，第二パネル取付部材６及び第三パネル取付部材７は溶融亜鉛−アルミニウム−マグネシウム合金めっき鋼板により形成される。
また、第一取付金物３及び第二取付金物４は支持台１０の一部を構成する。
【００１６】
次に、桟部材２を第一取付金物３を介して第一支持部材１３に固定させるための詳細な構造について、図３を用いて説明する。
まず、第一取付金物３は、第一支持部材１３の上面１３ａに接続される略長方形状の平板部である底面３ｃを有している。そして、底面３ｃの手前側Ｆには第一側面３ｂが立ち上り、底面３ｃの奥側Ｂには第一側面３ｂに対向する第二側面３ｄが立ち上がる。第一側面３ｂの高さは第二側面３ｄの高さよりも低い。また、第一側面３ｂの上端には手前側Ｆに折れ曲がるように設けられる第一取付フランジ３ａが一体的に接続される。さらに、第二側面３ｄの上端には奥側Ｂに折れ曲がるように設けられる第二取付フランジ３ｅが一体的に接続される。また、第一取付フランジ３ａ及び第二取付フランジ３ｅは、水平面に対して所定の角度Θで傾斜するように形成されている。この角度Θは、太陽電池パネル設置用架台１００が設置される土地において太陽光が最も効率よく入射しやすい太陽電池パネル１の向きを勘案して設定される。また、第一取付フランジ３ａ及び第二取付フランジ３ｅは、各々の上面が同一の斜面上に位置するように設けられている。
【００１７】
また、第一取付金物３の第一取付フランジ３ａ及び第二取付フランジ３ｅの各々には、第一ボルト孔３１が１個ずつ設けられている。また、第一取付金物３に取り付けられる桟部材２の底面２ａには、２個の第一ボルト孔３１の各々に対応する位置に第二ボルト孔３２が形成されている。さらに、第一取付金物３の底面３ｃには２個の第三ボルト孔３３が設けられる。また、第一支持部材１３の上面１３ａには、第一取付金物３の底面３ｃの２個の第三ボルト孔３３に各々が対応する２個の第四ボルト孔３４が設けられている。そして、第一取付金物３の第一ボルト孔３１及び桟部材２の第二ボルト孔３２には、第一取付金物３の第一取付フランジ３ａ又は第二取付フランジ３ｅ側から第一片側施工ボルト２７が挿入される。また、第一取付金物３の第三ボルト孔３３及び第一支持部材１３の第四ボルト孔３４には、第一取付金物３の底面３ｃ側から第二片側施工ボルト２９が挿入される。
なお、第一ボルト孔３１は、支持台１０の一部である第一取付金物３に形成されるため、支持台１０に設けられる支持台側ボルト孔を構成する。また、第二ボルト孔３２は桟部材側ボルト孔を構成する。
また、片側施工ボルトとは、一方向側からの締付作業のみで部材を連結することができるボルトをいう。
【００１８】
なお、桟部材２を第二取付金物４を介して第二支持部材１５に固定させるための構造も、図３に示すものと同様の構造である。すなわち、第二取付金物４、桟部材２及び第二支持部材１５には、図３に示す第一取付金物３、桟部材２及び第一支持部材１３と同様の位置に、第一ボルト孔３１、第二ボルト孔３２、第三ボルト孔３３及び第四ボルト孔３４が形成される。また、図３に示す場合と同様に、第二取付金物４の第一ボルト孔３１及び桟部材２の第二ボルト孔３２には第一片側施工ボルト２７が挿入される。さらに、第二取付金物４の第三ボルト孔３３及び第二支持部材１５の第四ボルト孔３４には、第二片側施工ボルト２９が挿入される。
【００１９】
ここで、太陽電池パネル設置用架台１００に用いられる第一片側施工ボルト２７は、図４に示すようなタッピング型のボルトである。すなわち、第一片側施工ボルト２７は、頭部２７ａと軸部２７ｂとを有している。軸部２７ｂには雄ねじ部２７ｃが形成されている。なお、第一片側施工ボルト２７の軸部２７ｂの径は、第一取付金物３の第一取付フランジ３ａ又は第二取付フランジ３ｅの第一ボルト孔３１よりも小さく、桟部材２の底面２ａの第二ボルト孔３２よりも大きい。また、軸部２７ｂの先端側には軸部２７ｂよりも径が小さい小径部２７ｄが設けられる。小径部２７ｄの径は桟部材２の底面２ａの第二ボルト孔３２の径よりもやや小さい。また、軸部２７ｂと小径部２７ｄとの間には、小径部２７ｄから軸部２７ｂに向かうにつれて径が大きくなるテーパ形状の拡径部２７ｅが設けられる。ここで、小径部２７ｄ及び拡径部２７ｅは、軸部２７ｂを第二ボルト孔３２に案内するためのガイド部２７ｆを構成する。また、第一片側施工ボルト２７の頭部２７ａの下には、フランジ２７ｇが設けられている。
【００２０】
また、第一片側施工ボルト２７には、表面処理として、亜鉛めっきが施された後に焼き付け塗装が行われる。すなわち、図４に示すように、第一片側施工ボルト２７の表面には、亜鉛めっき層２８ａと、亜鉛めっき層２８ａの上に設けられる焼き付け塗膜層２８ｂとが形成される。ここで、第一片側施工ボルト２７に施される表面処理は、溶融亜鉛−アルミニウム−マグネシウム合金めっき鋼板と同様のレベルの耐食性を有するものであるものとし、なおかつ、異種金属接触腐食が抑制できる膜厚であるものとする。具体的には、第一片側施工ボルト２７が桟部材２の底面２ａの第二ボルト孔３２に挿入される際にも摩擦のために剥がれず、かつ、異種金属接触腐食を抑制できる程度の膜厚として、第一片側施工ボルト２７には電気亜鉛めっきが２〜１０μｍ施された後、３〜２０μｍの膜厚の焼き付け塗装が施される。
【００２１】
また、桟部材２と第一取付金物３とを締結させる時は、第一片側施工ボルト２７は、図３及び４に示すように、まず第一取付金物３の第一取付フランジ３ａの第一ボルト孔３１に挿入される。そして、第一片側施工ボルト２７は、ガイド部２７ｆに案内されて桟部材２の底面２ａの第二ボルト孔３２に位置合わせされ、図示しない工具によって回転させられながら第二ボルト孔３２に挿入される。この時、第二ボルト孔３２の内周面には、第一片側施工ボルト２７の回転に伴って、雌ねじ部３２ａが塑性変形によって形成される。そして、第二ボルト孔３２の内周面に形成された雌ねじ部３２ａは、第一片側施工ボルト２７の雄ねじ部２７ｃに係合する。これにより、第一片側施工ボルト２７と桟部材２の底面２ａの第二ボルト孔３２との間に働く摩擦力によって、桟部材２と第一取付金物３とは堅固に締結される。
【００２２】
また、第一取付金物３と第一支持部材１３とを締結させるための第二片側施工ボルト２９は、第一片側施工ボルト２７と同様の構造である。そして、図３に示すように、第二片側施工ボルト２９は第一取付金物３の底面３ｃの第三ボルト孔３３に挿入され、第一支持部材１３の上面１３ａの第四ボルト孔３４に位置合わせされた後、第四ボルト孔３４に回転しながら挿入される。この時、第四ボルト孔３４の内周面には、第二片側施工ボルト２９の回転に伴って、雌ねじ部が塑性変形によって形成され、これにより、第一取付金物３と第一支持部材１３とは堅固に締結される。
【００２３】
なお、図２に示すように、桟部材２を第二取付金物４を介して第二支持部材１５に固定させるための構造も、図３に示す構造と同様のものであり、桟部材２と第二取付金物４とは第一片側施工ボルト２７によって締結され、第二取付金物４と第二支持部材１５とは第二片側施工ボルト２９によって締結される。
【００２４】
以上より、この実施の形態１に係る太陽電池パネル設置用架台１００は、桟部材２、第一取付金物３、第二取付金物４、第一支持部材１３及び第二支持部材１５が溶融亜鉛−アルミニウム−マグネシウム合金めっき鋼板により形成されるため、耐食性及び耐候性に優れている。
【００２５】
また、太陽電池パネル設置用架台１００は、第一片側施工ボルト２７を有し、第一片側施工ボルト２７は、第一取付金物３又は第二取付金物４に設けられる第一ボルト孔３１及び桟部材２に設けられる第二ボルト孔３２に挿入されている。従って、第一片側施工ボルト２７を使用して、第一取付金物３又は第二取付金物４側からの一方向のみからの作業で桟部材２と第一取付金物３又は第二取付金物４とを締結させることができる。さらにナット、ばね座金、平ワッシャー等の部品が不要であるため、太陽電池パネル設置用架台１００の製造及び施工に掛かる手間が省け、施工性が向上する。また、ナット、ばね座金、平ワッシャー等の部品が不要であるため、太陽電池パネル設置用架台１００の部品点数を削減することができる。さらに、タッピング型の第一片側施工ボルト２７は締め付けた後であっても適宜緩めることが可能なため、桟部材２と第一取付金物３又は第二取付金物４との間の位置調整を容易に行うことができる。また、第一片側施工ボルト２７は、挿入されるボルト孔の内周面に塑性変形で雌ねじ部を形成するため、施工時に切粉が発生せず、もらい錆が生じるおそれがない。
【００２６】
さらに、第一片側施工ボルト２７の表面には、亜鉛めっき層２８ａと、亜鉛めっき層２８ａの上に設けられる焼き付け塗膜層２８ｂとが形成される。これにより、第一片側施工ボルト２７によって桟部材２、第一取付金物３又は第二取付金物４に異種金属接触腐食が起こり、その腐食によって太陽電池パネル設置用架台１００の耐用年数が短くなってしまうという事態を防止することができる。
【００２７】
またさらに、太陽電池パネル設置用架台１００の支持台１０は第二片側施工ボルト２９を有し、第二片側施工ボルト２９は第一取付金物３又は第二取付金物４に設けられる第三ボルト孔３３及び第一支持部材１３又は第二支持部材１５に設けられる第四ボルト孔３４に挿入される。そのため、第二片側施工ボルト２９を使用して、第一取付金物３側又は第二取付金物４側からの一方向のみからの作業で第一取付金物３と第一支持部材１３とを締結させ、又は、第二取付金物４と第二支持部材１５とを締結させることができる。従って、太陽電池パネル設置用架台１００の施工性がさらに向上する。
【００２８】
なお、太陽電池パネル設置用架台１００は、第一パネル取付部材５、第二パネル取付部材６、第三パネル取付部材７、第一支柱１１、第二支柱１４及び斜め材１２も溶融亜鉛−アルミニウム−マグネシウム合金めっき鋼板により形成されるため、耐食性及び耐候性がより向上する。
また、この実施の形態１に限定されず、桟部材２のみが溶融亜鉛−アルミニウム−マグネシウム合金めっき鋼板により形成されていてもよい。すなわち、桟部材２以外の部材がどのような材料であっても、太陽電池パネル設置用架台１００は必要とされる耐食性及び耐候性を充分に有することができる。
【００２９】
また、第一片側施工ボルト２７は、第一取付金物３又は第二取付金物４側から第一ボルト孔３１及び第二ボルト孔３２に挿入される場合に限定されず、桟部材２の内側から第二ボルト孔３２及び第一ボルト孔３１に挿入されてもよい。なお、この場合は、第一ボルト孔３１の内周面に雌ねじ部が形成される。
また同様に、第二片側施工ボルト２９は、第一支持部材１３又は第二支持部材１５の内側から挿入されてもよく、この場合は、第三ボルト孔３３の内周面に雌ねじ部が形成される。
【００３０】
また、太陽電池パネル設置用架台１００には、図４に示す第一片側施工ボルト２７のようなタッピング型のボルトに替えて、図５に示すような形状の第一片側施工ボルト４１を用いてもよい。第一片側施工ボルト４１は、雄ねじ部４２ａを有する軸部４１ａと、軸部４１ａの周りに設けられる略円筒形状のスリーブ部４１ｂとを有している。スリーブ部４１ｂの内周面には、雄ねじ部４２ａに係合する雌ねじ部４２ｂが形成される。また、スリーブ部４１ｂの一端部には、径方向外側に円形状に広がる頭部４１ｃが形成される。
【００３１】
第一片側施工ボルト４１は、まず、図６（ｉ）に示すように、軸部４１ａがスリーブ部４１ｂに挿入された状態で、図６（ｉｉ）に示すように、第一取付金物３の第一取付フランジ３ａ又は第二取付フランジ３ｅの第一ボルト孔３１及び桟部材２の底面２ａの第二ボルト孔３２に挿入される。そして、図６（ｉｉｉ）に示すように、図示しない工具で軸部４１ａを回転させることにより、スリーブ部４１ｂの先端部は塑性変形しながら頭部４１ｃに向かって移動する。これにより、スリーブ部４１ｂには、第二ボルト孔３２を塞ぐように径方向外側に膨らんだバルジ部４１ｄが形成される。これにより、第一取付金物３と桟部材２とは、頭部４１ｃとバルジ部４１ｄとの間に挟み込まれ、互いに締結される。従って、第一取付金物３と桟部材２とがこのように締結されることで、鋼材の切り粉の発生がなく、切り粉を片付ける作業を省略することができるとともに、切り粉が腐食することによってもらい錆が生じるおそれがない。
【００３２】
また、第一片側施工ボルト４１にも、タッピング型の第一片側施工ボルト２７と同様に、亜鉛めっきが施された後に焼き付け塗装が行われる。従って、第一片側施工ボルト４１の表面には亜鉛めっき層と、亜鉛めっき層の上に設けられる焼き付け塗膜が形成される。具体的には、第一片側施工ボルト４１のスリーブ部４１ｂが塑性変形しても剥がれず、かつ、異種金属接触腐食を抑制できる程度の膜厚として、第一片側施工ボルト４１には電気亜鉛めっきが２〜１０μｍ施された後、５〜２５μｍの膜厚の焼き付け塗装が施される。
【００３３】
なお、第一取付金物３と第一支持部材１３とを締結させる、又は第二取付金物４と第二支持部材１５とを締結させるために使用される第二片側施工ボルトにも、図５及び６に示すような片側施工ボルトが用いられてもよい。
【００３４】
実施の形態２．
次に、この発明の実施の形態２に係る太陽電池パネル設置用架台２００の構成を図７及び８に示す。なお、図１〜６の参照符号と同一の符号は同一又は同様の構成要素であるので、その詳細な説明は省略する。
図７（ｉ）に示すように、太陽電池パネル設置用架台２００の支持台２０は、奥側Ｂから手前側Ｆに向かって傾斜して延びる支持部材２１３を有している。ここで、支持部材２１３は、図１に示すような第一支柱１１及び第二支柱１４の上端に接続される。また、支持部材２１３の上面には支持部材２１３に対してほぼ直交するように延びる３つの桟部材２０２ａ，２０２ｂ，２０２ｃが、各々、取付金物２３ａ，２３ｂ，２３ｃを介して取り付けられている。すなわち、より詳細には、支持部材２１３の手前側Ｆの下端に設けられる取付金物２３ａには桟部材２０２ａが、支持部材２１３の中央部分の取付金物２３ｂには桟部材２０２ｂが、支持部材２１３の奥側Ｂの上端に設けられる取付金物２３ｃには桟部材２０２ｃが各々接続される。桟部材２０２ａ，２０２ｂ，２０２ｃには、各々、第一パネル取付部材５、第二パネル取付部材６及び第三パネル取付部材７が取り付けられる。また、取付金物２３ａ，２３ｂ，２３ｃ、桟部材２０２ａ，２０２ｂ，２０２ｃ及び支持部材２１３は、溶融亜鉛−アルミニウム−マグネシウム合金めっき鋼板により形成される。
【００３５】
ここで、図７（ｉｉ）に示すように、取付金物２３ａは、略ハット形状の断面を有し、桟部材２０２ａの底面に接続する第一取付フランジ２３４ａ及び第二取付フランジ２３４ｂと、支持部材２１３の上面に接続される底面２３４ｃとを有している。また、第一取付フランジ２３４ａ及び第二取付フランジ２３４ｂの各々には、第一ボルト孔２３１が１個ずつ形成されている。さらに、桟部材２０２ａの底面には、第一ボルト孔２３１の各々に対応する位置に第二ボルト孔２３２が形成されている。また、取付金物２３ａの底面２３４ｃには２個の第三ボルト孔２３３が形成される。そして、取付金物２３ａの第一ボルト孔２３１及び桟部材２０２ａの第二ボルト孔２３２には、下側から第一片側施工ボルト２７が挿入され、締結される。さらに、取付金物２３ａの底面２３４ｃの第三ボルト孔２３３にも、上側からタッピング型の片側施工ボルト（図示せず）が挿入される。
なお、他の取付金物２３ｂ，２３ｃも、図７（ｉｉ）に示す取付金物２３ａと同様の構造であるものとする。
また、取付金物２３ａ，２３ｂ，２３ｃは、支持台２０の一部を構成しており、第一ボルト孔２３１は支持台側ボルト孔を構成する。さらに、桟部材２０２ａ，２０２ｂ，２０２ｃの第二ボルト孔２３２は桟部材側ボルト孔を構成する。
また、取付金物２３ａ，２３ｂ，２３ｃを介して桟部材２０２ａ，２０２ｂ，２０２ｃと支持部材２１３とを締結させるために、タッピング型の片側施工ボルトに替えて、図５及び６に示すような第一片側施工ボルト４１を使用してもよい。
【００３６】
そして、図８に示すように、太陽電池パネル１は、前後方向に２枚ずつ並んで桟部材２０２ａ，２０２ｂ，２０２ｃの上に載置され、第一パネル取付部材５、第二パネル取付部材６及び第三パネル取付部材７によって保持される。
【００３７】
以上より、この実施の形態２に係る太陽電池パネル設置用架台２００では、取付金物２３ａ，２３ｂ，２３ｃ、桟部材２０２ａ，２０２ｂ，２０２ｃ及び支持部材２１３が溶融亜鉛−アルミニウム−マグネシウム合金めっき鋼板により形成される。そのため、太陽電池パネル設置用架台２００は、耐食性及び耐候性に優れる。また、桟部材２０２ａ，２０２ｂ，２０２ｃを各々、取付金物２３ａ，２３ｂ，２３ｃに締結させるために第一片側施工ボルト２７が使用される。そのため、一方向側のみからの作業で、取付金物２３ａ，２３ｂ，２３ｃを介して桟部材２０２ａ，２０２ｂ，２０２ｃと支持部材２１３とを締結させることができ、施工性が向上する。
【００３８】
なお、この実施の形態２においても、太陽電池パネル設置用架台２００の桟部材２０２ａ，２０２ｂ，２０２ｃのみが溶融亜鉛−アルミニウム−マグネシウム合金めっき鋼板により形成され、支持部材２１３は他の材料で形成されていてもよい。
【００３９】
また、この発明の実施の形態１及び２において、太陽電池パネル設置用架台１００の桟部材２、第一支持部材１３及び第二支持部材１５並びに太陽電池パネル設置用架台２００の桟部材２０２ａ，２０２ｂ，２０２ｃ及び支持部材２１３は全てＣ形鋼であるが、これに限定されない。具体的には、リップの無い溝形鋼が太陽電池パネル設置用架台１００，２００の部材として使用されていてもよい。また支持台の構造も実施の形態１および２と異なるものであってもよい。
【００４０】
また、例えば、図９に示す太陽電池パネル設置用架台３００のように、支持台３０は、傾斜部３１３ａを有する第一支持部材３１３と、傾斜部３１５ａを有する第二支持部材３１５とを備えていてもよい。桟部材２には桟部材側ボルト孔３３２が形成され、第一支持部材３１３の傾斜部３１３ａ及び第二支持部材３１５の傾斜部３１５ａには、各々、桟部材側ボルト孔３３２に対応する支持台側ボルト孔３３１が形成される。支持台側ボルト孔３３１及び桟部材側ボルト孔３３２には第一片側施工ボルト２７が挿入され、桟部材２は、第一支持部材３１３の傾斜部３１３ａ及び第二支持部材３１５の傾斜部３１５ａに、第一片側施工ボルト２７によって直接固定される。
なお、第一支持部材３１３及び第二支持部材３１５は、溶融亜鉛−アルミニウム−マグネシウム合金めっき鋼板により形成されていてもよい。
【符号の説明】
【００４１】
１  太陽電池パネル、２，２０２ａ，２０２ｂ，２０２ｃ  桟部材、３，４，２３ａ，２３ｂ，２３ｃ  取付金物、１０，２０，３０  支持台、１３，３１３  第一支持部材、１５，３１５  第二支持部材、２７，４１  第一片側施工ボルト、２８ａ  亜鉛めっき層、２８ｂ  焼き付け塗膜層、３１，２３１，３３１  第一ボルト孔（支持台側ボルト孔）、３２，２３２，３３２  第二ボルト孔（桟部材側ボルト孔）、４１ａ  軸部、４１ｂ  スリーブ部、４２ａ  雄ねじ部、４２ｂ  雌ねじ部、２１３  支持部材、１００，２００，３００  太陽電池パネル設置用架台。
【図１】
2018186636.tif 000003
【図２】
2018186636.tif 000004
【図３】
2018186636.tif 000005
【図４】
2018186636.tif 000006
【図５】
2018186636.tif 000007
【図６】
2018186636.tif 000008
【図７】
2018186636.tif 000009
【図８】
2018186636.tif 000010
【図９】
2018186636.tif 000011